(57)【特許請求の範囲】
【請求項１】
エレキギターのギターボディの弦締結具（１）であって、
ブリッジ（２）を備え、該ブリッジは、前記ブリッジの上側に位置する、弦ごとに１つ
のサドル（３）を有し、弦がこれを横切るよう配置され、
ここで、弦ごとに１つのサドル（３）は、前記ブリッジの上側に締結され、
ここで、下方に方向付けられたレバー（１０）が、それぞれのサドルに配置され、弦（４）の一端がそのレバーで締結されるよう配置され、
ここで、テンションバネであるチューニングバネ（１２）が、その一端で前記レバー（
１０）に、及びその他端で、直接的又は間接的に、前記ギターボディに、締結され、その
チューニングバネ（１２）は、弦（４）の一定の引張力を維持するようにし、
及び、その弦締結具は、いわゆるビブラートアーム（１３）を備え、これは、駆動され
た際に、前記ブリッジ（２）を前記ギターボディに向けて傾斜させ、このビブラートアー
ム（１３）は、前記ブリッジに回動可能に締結されて前記ブリッジを貫通し、
ここで、固定手段（１５）が、通常演奏状態及びビブラートの間において、前記ブリッ
ジに対してそのそれぞれの位置に前記レバー（１０）のそれぞれを維持するよう配置され、
及び、開放装置（１６）が、前記固定手段（１５）に作用して、前記レバー（１０）を
開放させるよう配置される、
ことを特徴とする弦締結具（１）。
【請求項２】
前記開放装置（１６）は、
ビブラートアーム（１３）と、
前記ビブラートアームに、前記ブリッジ（２）の反対側に位置する自由端で締結される
手段（１７）と、を備え、
前記手段（１７）は、前記ビブラートアーム（１３）の、前記ギターボディに対する所定の位置への回転の間、前記固定手段（１５）に作用して、前記レバー（１０）を開放させる、
ことを特徴とする請求項１に記載の弦締結具（１）。
【請求項３】
前記固定手段（１５）は、それぞれの前記レバー（１０）ごとに、前記レバーが固定されたままである際、前記レバー（１０）のそれぞれの側部に当接するよう配置される、２つの並列係止アーム（１９，２０）を備える、
ことを特徴とする請求項１又は２に記載の弦締結具（１）。
【請求項４】
前記係止アームの各対のうち１つ（１９）は、第１の平面部分（２１）から突出し、
前記対の第２の係止アーム（２０）は、第２の平面部分（２２）から突出し、
前記第１（２１）及び前記第２（２２）の平面部分は、並列に配置され、互いに隣接し
て配置され、互いに対して平行移動可能であり、
これにより、係止アームの対（１９、２０）が形成され、
及び、バネ（２３）が、その一端で前記第１の平面部分（２１）に、その他端で前記第
２の平面部分（２２）に、締結されるよう配置され、
これにより、前記平面部分は、バネが荷重された際に、互いに対して平行移動し、
これにより、前記係止アームの各対は、前記レバー（１０）が固定を維持する位置へ平
行移動する、
ことを特徴とする請求項３に記載の弦締結具（１）。
【請求項５】
前記開放装置（１６）は、
ビブラートアーム（１３）と、
前記ビブラートアームに、前記ブリッジ（２）の反対側に位置する自由端で締結される
手段（１７）と、を備え、
前記手段（１７）は、前記ビブラートアーム（１３）の、前記ギターボディに対する、
所定の位置への回転の間、前記固定手段（１５）に作用して、前記レバー（１０）を開放させ、
前記手段（１７）は、前記ビブラートアーム（１３）の前記自由端（１８）で、前記ブ
リッジ（２）に対する第１の角度位置において、前記第１の平面部分（２１）を、前記バ
ネのバネ力に抗して、前記第２の平面部分（２２）に対して平行移動するよう配置され、
これにより、前記レバー（１０）は、前記係止アームから開放され、
及び、第２の角度位置において、前記第１の平面部分（２１）に作用しない、
ことを特徴とする請求項４に記載の弦締結具（１）。
【請求項６】
前記開放装置（１６）は、
ビブラートアーム（１３）と、
前記ビブラートアームに、前記ブリッジ（２）の反対側に位置する自由端で締結される
手段（１７）と、を備え、
前記手段（１７）は、前記ビブラートアーム（１３）の、前記ギターボディに対する、
所定の位置への回転の間、前記固定手段（１５）に作用して、前記レバー（１０）を開放させ、
前記手段（１７）は、前記第１の平面部分（２１）に直接的に作用するよう配置される
非対称ボディである、ことを特徴とする請求項４又は５に記載の弦締結具（１）。
【請求項７】
それぞれの前記レバー（１０）は、ボディ（２６）に螺入され、これらボディは、隣接するボディ（２６）の間に所定の遊びを以って、互いに隣接して列状に位置付けられ、これにより、前記ボディは、隣接するボディにより作用されることなく、移動することが可能であり、
前記ボディ（２６）の列のそれぞれの端部において、前記ブリッジ（２）に締結される
それぞれのゲーブル（２８，２９）が配置され、該ゲーブルは、それぞれのゲーブル（２
８、２９）と、隣接するボディ（２６）の側面との間に所定の遊びを以って位置付けられ、
前記ゲーブルの１つ（２８）は、他の前記ゲーブル（２９）に対して進退可能であり、
前記それぞれのゲーブル（２８，２９）に締結されるテンションバネ（３０）が配置さ
れ、これにより、前記ゲーブルが互いに向かうようにされ、
これにより、前記ボディ（２６）の前記側面は、互いに向かって、及び前記それぞれの
ゲーブル（２９，２８）に向かって、前記レバー（１０）が固定を維持する位置へ、押圧
され、
及び、前記ゲーブル（２８，２９）は、互いから離隔して、前記レバー（１０）が開放
される位置へ平行移動可能である、
ことを特徴とする請求項１又は２に記載の弦締結具（１）。
【請求項８】
前記開放装置（１６）は、
ビブラートアーム（１３）と、
前記ビブラートアームに、前記ブリッジ（２）の反対側に位置する自由端で締結される
手段（１７）と、を備え、
前記手段（１７）は、前記ビブラートアーム（１３）の、前記ギターボディに対する、
所定の位置への回転の間、前記固定手段（１５）に作用して、前記レバー（１０）を開放させ、
前記手段（１７）は、前記ビブラートアーム（１３）の前記自由端（１８）で、前記ブ
リッジ（２）に対する第１の所定角度位置において、前記ゲーブルの１つ（２８）を、前記テンションバネ（３０）のバネ力に抗して、前記他のゲーブル（２９）から離隔する方向に、平行移動するよう配置され、これにより、前記ボディ（２６）は、互いから開放され、
及び、第２の角度位置において、前記ゲーブルの１つ（２８）を平行移動させず、これにより、前記ボディ（２６）が互いに当接することによって、前記レバー（１０）が固定を維持する位置となる、
ことを特徴とする請求項７に記載の弦締結具（１）。
【請求項９】
前記開放装置（１６）は、
ビブラートアーム（１３）と、
前記ビブラートアームに、前記ブリッジ（２）の反対側に位置する自由端で締結される
手段（１７）と、を備え、
前記手段（１７）は、前記ビブラートアーム（１３）の、前記ギターボディに対する、
所定の位置への回転の間、前記固定手段（１５）に作用して、前記レバー（１０）を開放させ、
前記手段（１７）は、非対称ボディであり、ロッド（３１）の自由端（３２）に抗して
作用するよう配置され、このロッド（３１）は、前記ゲーブルの１つ（２８）に締結され
て、前記他のゲーブル（２９）に向かって走行し、及び、その自由端（３２）でそこか
ら外へ出る、ことを特徴とする請求項７又は８に記載の弦締結具（１）。
【請求項１０】
それぞれの前記レバー（１０）は、前記サドル（３）のための締結具に、軸周囲で、回動可能に締結され、前記サドル（３）がその軸で締結され、
及び、前記サドルは、半円形状であって、半円形の中心は、前記軸に一致する、ことを
特徴とする請求項１ないし９のいずれか１項に記載の弦締結具（１）。
【発明の詳細な説明】
【技術分野】
【０００１】
本発明は、弦楽器のための装置に関し、より詳細には、エレキギターのギターボディの弦締結具(string fastener)に関する。
【背景技術】
【０００２】
エレキギターのすべての弦は、ギターの所望のチューニング（調律）で、チューニングネジ(tuning screws)を用いた弦の荷重の結果として、異なる弾性係数(coefficients of elasticity)を有する。この弦の弾性係数は、所定のキロ数での弦の引張力(pulling force)に対応する。
【０００３】
例えば、１組のエレキギター弦１０−４６は、通常のチューニングにおいて、異なる弦に、以下の引張力を有する：Ｅ  ７．３５ｋｇ、Ｂ  ６．９８ｋｇ、Ｇ  ７．５３ｋｇ、Ｄ  ８．３４ｋｇ、Ａ  ８．８４ｋｇ、及びＥ  ７．９４ｋｇ。
【０００４】
公知の装置では、各弦がチューニングネジに締結され、及び、反対端で、弦締結具のレバーに締結されるよう、配置される。チューニングバネは、レバー及びギターボディの間に締結される。このチューニングバネは、レバーに沿って調整可能に締結される。
【０００５】
弦が、ある状況、例えば温度変化又は物理的衝撃、により作用される場合、チューニングバネは、レバーを介して、チューニングネジが調整される必要なく、弦の当初の引張力を補償する。
【０００６】
所定のギターは、ビブラート(vibrato)を演奏するためデザインされた、いわゆるトレモロ(tremolo)デザインで作製される。換言すれば、ビブラート装置を用いた、弦の緩み(slacking)又は弦テンションの増加のいずれかを介したピッチオルタネーション(pitch alteration)である。ビブラート装置は、通常、弦締結具が、ビブラートアームを用いてギターボディに対して上方又は下方に折り畳まれるようデザインされる。この結果、弦は、緩むか、又は伸びる(slackened or stretched)。ビブラート特徴を備えるギターは、いかなるチューニングバネをも有さず、これに替えて、弦は、弦締結具に弾力性(resiliency)を有さずに締結される。この結果、１つ又は複数の弦が、ある状況、例えば温度変化や物理的影響、を被った後、ギターがそのチューニングを維持できないという問題点があった。
【０００７】
ビブラート可能なギターが、チューニングバネを備えるものとすれば、そのバネのテンションがビブラートの適用の結果として変更されるので、そのチューニングバネは、変更されたテンションを補償するであろう。その結果、ビブラート効果は、完全に又は部分的に、発生することができないであろう。
【発明の開示】
【発明が解決しようとする課題】
【０００８】
本発明は、上記の課題を解決し、チューニングバネを用いる原理をビブラート装置に組み合わせる。
【課題を解決するための手段】
【０００９】
こうして、本発明は、エレキギターのギターボディの弦締結具に関する。この弦締結具は、ブリッジを備え、このブリッジは、前記ブリッジの上側に位置する弦ごとに１つのサドルを有し、弦がこれを横切る(run across)よう配置される。ここで、弦ごとに１つのサドルは、前記ブリッジの上側に締結され、ここで、下方に方向付けられた回動(pivoted)レバーが、それぞれのサドルに配置され、弦の一端がそのレバーで締結されるよう配置される。ここで、テンションバネであるチューニングバネが、その一端で前記レバーに、及びその他端で、直接的又は間接的に、ギターボディに、締結される。そのチューニングバネは、弦の一定の引張力を維持するようにする。及び、その弦締結具は、いわゆるビブラートアームを備え、これは、駆動された際、前記ブリッジを前記ギターボディに向かって傾斜させ(angled towards)、そのビブラートアームは、前記ブリッジに枢動可能に締結されて前記ブリッジを貫通する。この弦締結具において、固定手段(fastening means)が、通常演奏状態及びビブラートの間において、前記ブリッジに対してそのそれぞれの位置で前記レバーのそれぞれを維持するよう配置されること、及び、開放装置が、前記固定手段に作用して前記レバーを開放させるよう配置されること、を特徴とする。
【００１０】
以下、本発明が、より詳細に、部分的に添付図面に示される本発明の実施形態に関連して、説明される。
【図面の簡単な説明】
【００１１】
【図１】図１は、本発明の第１の実施形態に係る弦締結具、及び固定手段のみを示す斜視図である。
【図２】図２は、より大きい縮尺で、図１に示す装置の左下部分を示す図である。
【図３】図３は、本発明の第２の実施形態に係る弦締結具、及び固定手段に属するボディを示す斜視図である。
【図４】図４は、下方から観察される、６つのボディを備える弦締結具を示す図である。
【発明を実施するための形態】
【００１２】
図１において、図示されないエレキギターのギターボディに締結されるよう配置される、弦締結具１が概略図示されている。この弦締結具は、ブリッジ２を備え、このブリッジは、ブリッジの上側に位置する、弦４ごとに１つのサドル３を有し、弦がこれを横切るよう配置される。図１において、１つのサドル及び１つの弦のみが示されている。それぞれのサドル３は、それぞれの開口５乃至９に配置されるものであり、これにより、弦ごとに１つのサドルは、ブリッジ２の上側に締結される。
【００１３】
好適な実施形態によれば、それぞれのレバー１０は、上記サドル３の締結具に、軸周囲で、回動可能(pivotally)に締結される。ここで、上記サドルは、半円形状であり、半円形の中心は、上記軸と一致する。その結果、サドルと、弦の反対締結点との間の弦の長さは、弦の引張力がチューニングバネを用いて調整されるため、一定となる。これにより、弦の引張力が維持されるようになる。
【００１４】
回動型の、下方に方向付けられたレバー１０は、それぞれのサドル３に配置され、弦４の一端が、そのレバーで、レバーに沿って平行移動可能な(translatable)締結具１１に締結されるよう配置される。
【００１５】
テンションバネであるチューニングバネ１２は、その一端で、それぞれのレバー１０に、その他端で、直接的又は間接的に、ギターボディに、締結される。このチューニングバネ１２は、弦４の一定の引張力を維持するようにする。
【００１６】
弦締結具は、従来のいわゆるビブラートアーム１３を備え、これは、駆動された際に、上記ブリッジ２をギターボディに向けて矢印１４の方向に傾斜させるようにする。このビブラートアーム１３は、ブリッジ２に回動可能に締結され、ブリッジを、その孔２７を介して貫通する。
【００１７】
本発明によれば、固定手段１５が提供され、上記レバー１０のそれぞれを、通常演奏状態及びビブラートの間において、ブリッジ２に対してそのそれぞれの位置に維持するよう配置される。さらに、開放装置１６が提供され、固定手段１５に作用して上記レバー１０を開放させるように配置される。
【００１８】
ギターが、チューニング（調律）される際、及び通常演奏状態及びビブラートの間にある際、固定手段１５は、レバー１０をそのそれぞれの位置に固定されたままとする。その結果、弦の引張応力(tensile stress)は、チューニングバネ１２により変更されず、さもなければ、レバーが固定されたままとならなかったであろう。ビブラートアームが、従来の方法で操作されようとする際、ブリッジ２は、折り畳まれ、弦が伸び縮みすることにより、ピッチ変更（オルタレーション）(pitch alteration)が起こる。
【００１９】
弦の引張応力は、演奏の間、変更されることができる。開放装置１６を駆動して、固定手段１５に作用して、上記レバー１０を開放させることにより、チューニングバネ１２は、それぞれの弦４の当初の引張応力を復元させる。換言すれば、ギターは、その当初のチューニング状態にチューニングされる。
【００２０】
したがって、このようにして、チューニングバネを備えるギターは、ビブラート特徴を有するギターと組み合わされる。
【００２１】
好適な実施形態によれば、開放装置１６は、ビブラートアーム１３と、このビブラートアームに、ブリッジ２の反対側に位置するその自由端１８で締結される手段１７と、を備える。この手段１７は、ビブラートアームがギターボディに対して所定の位置に回転する間、固定手段１５に作用して、上記レバー１０を開放させるよう配置される。
【００２２】
第１の好適な実施形態によれば、上記固定手段１５は、それぞれのレバーごとに、レバーが固定されたままの際に、レバー１０のそれぞれの側部に当接するよう配置される、２つの並列係止(locking)アーム１９、２０を備える。
【００２３】
好適な実施形態によれば、係止アームの各対のうち１つの係止アームは、第１の平面部分２１から突出する。上記対の第２の係止アームは、第２の平面部分２２から突出する。第１の平面部分２１及び第２の平面部分２２は、並列に配列され、互いに隣接して配置され、これにより、係止アームの対１９、２０が形成される。テンションバネ２３は、一端で第１の平面部分２１に、その他端で第２の平面部分２２に、締結されるよう配置される。これにより、平面部分２１、２２は、バネ荷重が掛けられた際に、互いに対して平行移動し(translated)、これにより、係止アームの各対１９，２０は、レバー１０が固定されたままである位置へ平行移動される。
【００２４】
上記手段１７は、ビブラートアーム１３の自由端１８で、第１の角度位置において、所定の位置に配置され、第１の平面部分２１を、上記バネ２３のバネ力（スプリング力）に抗して、ブリッジ２に対して、及びまた第２の平面部分２２に対して、平行移動させる。これにより、係止アームの各対の係止アームが互いに離隔することによって、レバー１０は、係止アーム１９、２０から開放される。第２の角度位置において、上記手段は、第１の平面部分２１に作用しない。
【００２５】
好適には、上記手段１７は、ビブラートアーム１３が所定の位置に回転された際に、第１の平面部分２２上に直接作用するよう配置される非対称ボディである。適切には、このボディは、偏心のボディである。図１及び図２において、第１の平面部分２１の突出部分２５が図示され、上記手段１７は、これに抗して作用し、これにより、第１の平面部分２１が平行移動される。
【００２６】
したがって、ギタリストは、ビブラートアームを所定の位置に回転することができ、その結果、レバーが開放され、これにより、チューニングバネは、非常に迅速に、弦４の引張応力を復元することができる。
【００２７】
図１において、バネ２４もまた図示されている。このバネ２４は、第２の平面部分２２に、及びギターボディに、締結される。このバネの目的は、ブリッジ２の角度を、ブリッジの休止(resting)位置において、ギターボディに対して調整することである。
【００２８】
固定手段の第２の実施形態によれば、図３に示されるように、それぞれのレバー１０は、ボディ２６に螺入(threaded into)される。図４において、弦締結具は、６つのボディ２６を備えるよう、下方から図示されており、換言すれば、弦４ごとに１つのボディが図示されている。孔２７は、ビブラートアームがこれを介して貫通するよう配置される。ボディ２６は、互いに隣接して、ライン（列）に沿って、隣接するボディの間に所定の遊び(play)を以って、位置付けられる。これにより、ボディは、隣接するボディによって作用されることなく、移動することができる。ボディ２６の列のそれぞれの端部において、それぞれのゲーブル（切妻）(gable)が配置され、ブリッジ２に締結される。このゲーブルは、それぞれのゲーブルと、隣接するボディ２６の側面との間に若干の遊びを以って、位置付けられる。テンションバネ３０は、それぞれのゲーブル２８、２９に締結されるよう配置され、これにより、ゲーブルは、互いに向かうようにされる。その結果、ボディ２６の側面は、互いに向けて、及びそれぞれのゲーブル２８，２９に向けて、レバー１０が固定されたままとなる位置へと、押圧される。
【００２９】
１つのゲーブル２８は、他のゲーブル２９に対して、若干進退可能に(translatably)配置され、これにより、それぞれのボディ２６の間に遊びが発生することができる。
【００３０】
上記手段１７は、ビブラートアーム１３の自由端で、ブリッジ２に対する第１の所定角度位置において、上記第１のゲーブル２８を、上記バネ３０のバネ力（スプリング力）に抗して、第２のゲーブル２９から離隔する方向に平行移動させ、これにより、ボディ２６は互いから開放される。及び、上記手段１７は、第２の角度位置において、上記ゲーブル２８を移動させず、これにより、ボディ２６が、バネ力の影響の下、互いに当接することで、レバー１０が固定されたままの状態となる。
【００３１】
上記手段１７は、非対称ボディであり、ロッド３２の自由端３１に抗して動作するよう配置され、このロッド３１は、第１のゲーブル２８に締結されて、第２のゲーブル２９まで走行して、その自由端３２でこれを介して外へ出る。
【００３２】
図３において、ビブラートアームは図示されていないが、孔２７を介して貫通するよう配置される。ビブラートアームの下方部分は、このため、図１及び図２に示すようにデザインされる。
【００３３】
この第２の実施形態によって、第１の実施形態と同様の機能が達成される。すなわち、レバーが、演奏の間、及びビブラートが作動された際に、固定されたままとなること、及び、レバーが、ビブラートアームの回転を用いて開放されることができること、であり、これにより、弦は、チューニングバネを用いてチューニングされる。
【００３４】
上記において、多数の実施形態を説明した。しかしながら、この締結手段の機械的デザインは、ビブラートアームの回転を用いて、それぞれ、レバーを保持し及びレバーを開放する機能から離れることなく、変更することができる。
【００３５】
したがって、本発明は、上記の実施形態に限定されるものとみなされず、請求の範囲で画定される範囲内において、変更可能である。
【図１】
0006309961.tif 000002
【図２】
0006309961.tif 000003
【図３】
0006309961.tif 000004
【図４】
0006309961.tif 000005